(57)【要約】【課題】制御機器のベース部をＤＩＮレールに固定した状態で本体部の着脱を容易に行うことができる着脱機構を提供する。【解決手段】  ケース１とベース７とを着脱可能に係止する機器ユニット着脱機構において、ベース７が上面に係止爪８を有し、ケース１が上面に弾性変形可能に形成され係止爪８に係合するばね部３を有し、当該ばね部３は、一端に係止爪８と係合する係合部５と、他端に係止爪８と係合部５の係合を操作するボタン４と、係合部５とボタン４を結ぶ胴部から延設されてケース１に支持され、ボタン４の操作力を係合部５に伝達する支持部６を備えている。【選択図】図１
2010129891.tif 000002
【特許請求の範囲】
【請求項１】
本体部とベース部とを着脱可能に係止する機器ユニット着脱機構において、
前記ベース部は、上面に係止部材を有し、
前記本体部は、上面に弾性変形可能に形成され前記係止部材に係合する係合部材を有し、
前記係合部材は、一端に前記係止部材と係合する係合部と、他端に前記係止部材と前記係合部の係合を操作する操作部と、前記係合部と前記操作部を結ぶ胴部から延設されて前記本体部に支持され、前記操作部の操作力を前記係合部に伝達する支持部とを備えたことを特徴とする機器ユニット着脱機構。
【請求項２】
本体部は、上面に複数のスリット状の切り欠き部を有し、
係合部材は、前記複数のスリット状の切り欠き部の内側に形成され、
支持部は、前記複数のスリット状の切り欠き部の端部間に形成されることを特徴とする請求項１記載の機器ユニット着脱機構。
【請求項３】
操作部を力点、支持部を支点、および係合部を作用点とし、前記操作部に加えられる操作力により前記係合部を上下移動させて係止部材との係合を操作することを特徴とする請求項１または請求項２記載の機器ユニット着脱機構。
【請求項４】
支持部は、係合部と操作部の中間点よりも操作部側に形成することを特徴とする請求項１から請求項３のうちのいずれか１項記載の機器ユニット着脱機構。
【請求項５】
支持部は、上面視において板状であることを特徴とする請求項１から請求項４のうちのいずれか１項記載の機器ユニット着脱機構。
【請求項６】
支持部は、互いに入り組むように配置された複数のスリット状の切り欠き部の端部間に形成されることを特徴とする請求項２記載の機器ユニット着脱機構。
【請求項７】
請求項１から請求項６のうちのいずれか１項記載の機器ユニット着脱機構を備えた制御機器。
【発明の詳細な説明】
【技術分野】
【０００１】
この発明は、機器ユニットのベース部分と本体部分を着脱可能に固定する機器ユニット着脱機構およびこれを備えた制御機器に関するものである。
【背景技術】
【０００２】
例えば、アナログプロセス量を制御するモジュール型調節計などの制御機器は、用途に応じて入出力の種別や機能により最適なモジュールが選択され、複数の機器を接続したユニットとして使用される。最適なユニットに任意に対応するため、また故障時にはモジュール部分のみを交換可能とするために、近年では制御機器のベース部をＤＩＮレールに固定したまま、本体部のみを取り外し可能な構造を有している。
【０００３】
図６は、従来の機器ユニット着脱機構を示す図であり、図６（ａ）はその上面図、図６（ｂ）は本体部を固定した状態を示す側面図、図６（ｃ）は本体部を取り外した状態を示す側面図である。また、図６（ｂ）および（ｃ）は、制御機器の上部の図６（ａ）におけるｘ−ｘ線断面図である。従来の制御機器（機器ユニット）９０は、ベース９６の中央部分がＤＩＮレール２０に固定され、ケース９１がベース９６に対して回転支点９８を中心として回動可能に取り付けられている。ケース９１の上部には、切り欠き９２を設けることにより弾性変形可能なばね部９３が形成されている。このばね部９３の先端部分にはボタン９４およびスナップフィット爪９５が設けられており、このスナップフィット爪９５はベース９６に設けられた係合穴９７に係合することにより、ケース９１がベース９６に対して固定される。一方、ケース９１を取り外す場合には、ボタン９４を図６（ｂ）に示す矢印Ｘ方向に押圧してスナップフィット爪９５と係合穴９７の係合を解除し、ベース９６の回転支点９８を支点として矢印Ｙ方向に回動させながら取り外す。
【発明の開示】
【発明が解決しようとする課題】
【０００４】
従来の機器ユニット着脱機構は以上のように構成されているので、スナップフィット爪と係合穴の係合を解除するボタンがベースの係合穴近傍に形成されているため、ケースの取り外し時にベース付近までユーザが手を入れてボタンを押圧する必要が生じ、操作しにくいという課題があった。
また、機器ユニットの上部に十分な間隔をあけることができない場合や、他の機器のケーブルダクトなどが設置されている場合には、ユーザがケースの奥まで手を入れることができずボタンを操作できないという課題があった。
【０００５】
この発明は上記のような課題を解決するためになされたもので、制御機器のベース部をＤＩＮレールに固定した状態で本体部の着脱を容易に行うことができる機器ユニット着脱機構およびこれを備えた制御機器を得ることを目的とする。
【課題を解決するための手段】
【０００６】
この発明に係る機器ユニット着脱機構は、本体部とベース部とを着脱可能に係止する機器ユニット着脱機構において、ベース部は、上面に係止部材を有し、本体部は、上面に弾性変形可能に形成され係止部材に係合する係合部材を有し、係合部材は、一端に係止部材と係合する係合部と、他端に係止部材と係合部の係合を操作する操作部と、係合部と操作部を結ぶ胴部から延設されて本体部に支持され、操作部の操作力を係合部に伝達する支持部とを備えるものである。
【０００７】
この発明に係る機器ユニット着脱機構は、本体部が上面に複数のスリット状の切り欠き部を有し、係合部材が複数のスリット状の切り欠き部の内側に形成され、支持部が複数のスリット状の切り欠き部の端部間に形成されるものである。
【０００８】
この発明に係る機器ユニット着脱機構は、操作部を力点、支持部を支点、および係合部を作用点とし、操作部に加えられる操作力により係合部を上下移動させて係止部材との係合を操作するものである。
【０００９】
この発明に係る機器ユニット着脱機構の支持部は、係合部と操作部の中間点よりも操作部側に形成されるものである。
【００１０】
この発明に係る機器ユニット着脱機構の支持部は、上面視において板状である。
【００１１】
この発明に係る機器ユニット着脱機構の支持部は、互いに入り組むように配置された複数のスリット状の切り欠き部の端部間に形成されている。
【発明の効果】
【００１２】
この発明によれば、ベース部の上面に係止部材を設け、本体部の上面に弾性変形可能に形成され係止部材に係合する係合部材を設け、当該係合部材が、一端に係止部材と係合する係合部と、他端に係止部材と係合部の係合を操作する操作部と、係合部と操作部を結ぶ胴部から略直交方向に延設されて本体部に支持され、操作部の操作力を係合部に伝達する支持部とを備えるように構成したので、操作部を本体部の手前側に配置することができ、ユーザが手をベース部近傍、即ち機器ユニットの奥部まで入れることなく容易に本体部の着脱動作を行うことができる。さらに、機器ユニット上部に配設されたケーブルダクトなどの部材に制約を受けることなくケースの着脱を行うことができる。
【００１３】
また、この発明によれば、本体部の上面に複数のスリット状の切り欠き部を形成し、係合部材が当該複数のスリット状の切り欠き部の内側に形成され、支持部が複数のスリット状の切り欠き部の端部間に形成されるように構成したので、係合部材を弾性変形可能に構成することができる。
【００１４】
さらに、この発明によれば、操作部を力点、支持部を支点、および係合部を作用点とし、操作部に加えられる操作力により係合部を上下移動させて係止部材との係合を操作するように構成したので、本体部の手前側で操作部を操作することができる。
【００１５】
さらに、この発明によれば、係合部と操作部の中間点よりも操作部側に支持部を形成するように構成したので、操作部に加えられる操作力を効率よく係合部に伝えることができる。
【００１６】
さらに、この発明によれば、支持部が上面視において板状となるように構成したので、簡易な構成で容易にケースの着脱を行うことができる。
【００１７】
さらに、この発明によれば、支持部を互いに入り組むように配置された複数のスリット状の切り欠き部の端部間に形成するように構成したので、より小さな力で操作することができる。
【発明を実施するための最良の形態】
【００１８】
実施の形態１．
図１は、この発明の実施の形態１に係る機器ユニット着脱機構を示す図である。図１（ａ）は制御機器の上面図であり、図１（ｂ）および（ｃ）は制御機器の上部の図１（ａ）におけるａ−ａ線断面図である。さらに、図１（ｂ）はケースの固定状態、図１（ｃ）はケースの取り外し状態を示す側面図である。また、図２は、この発明の実施の形態１に係る機器ユニット着脱機構を示す斜視図であり、図２（ａ）はケースの固定状態、図２（ｂ）はケースの取り外し状態を示す図である。
【００１９】
実施の形態１に係る機器ユニット着脱機構を備えた制御機器１０は、ケース（本体部）１およびベース（ベース部）７で構成され、ベース７の中央にＤＩＮレール２０が固定されている。図１（ａ）および図２に示すように、ケース１の上面には長手方向に延びる切り欠き部２が形成されている。この切り欠き部２を設けることにより、切り欠き部２の内側部分に弾性変形可能なばね部（係合部材）３が形成される。切り欠き部２は、ベース７側から延びる第１の切り欠き部２ａと、ケース１端部側から延びる第２の切り欠き部２ｂで構成され、各切り欠き部２ａ，２ｂは連続したスリット状の切り欠きである。
【００２０】
第１の切り欠き部２ａは、同一形状の切り欠きを、ケース１上面の長手方向中心線を中心として対称となる位置に２つ配置している。また、この第１の切り欠き部２ａは直線部２ｃおよび略Ｌ字部２ｄで構成されている。第２の切り欠き部２ｂは、略コ字部２ｅとこの略コ字部２ｅの両端部に延設された２つの略Ｔ字部２ｆで構成されている。さらに、図に示すように第１の切り欠き部２ａの直線部２ｃおよび略Ｌ字部２ｄと第２の切り欠き部２ｂの略Ｔ字部２ｆは互いに組み合うように配置されている。
【００２１】
切り欠き部２の内側部分に形成されたばね部３は、第２の切り欠き部２ｂ側端部の上方に凸設されたボタン（操作部）４、第１の切り欠き部２ａ側端部に略Ｔ字形状の係合部５を有している。また、第１の切り欠き部２ａの直線部２ｃおよび略Ｌ字部２ｄと第２の切り欠き部２ｂの略Ｔ字部２ｆの組み合い部分の間、即ちばね部３の長手方向に直交する方向に延設された部分に支持部６が形成されている。この支持部６は、ケース１の上面板およびばね部３によって支持されている。このボタン４、支持部６および係合部５は、それぞればね部３の力点３ａ、支点３ｂおよび作用点３ｃとして機能する。
【００２２】
なお、支持部６は、ボタン４と係合部５の中間点よりもボタン４側に形成する。また、この支持部６は、ボタン４の操作時の力を軽減するために、ばね部３の長手方向に直交する方向に経路を長く設けた方が有効となる。さらに、ばね部３のねじれを防止するために、支持部６はばね部３の両側に均等に形成するのが好ましい。
ベース７の上面開口端部には、係合部５を両側から係止する一対の係止爪（係止部材）８が形成されている。
【００２３】
次に、実施の形態１に係る機器ユニット着脱機構の動作について説明する。まず、ケース１をベース７から取り外す場合、図１（ｂ）の状態においてボタン４を矢印Ａ方向に押圧する。この押圧により、ボタン４が力点３ａ、支持部６が支点３ｂ、係合部５が作用点３ｃとして機能し、作用点３ｃである係合部５に矢印Ｂ方向の力が加わる。この矢印Ｂ方向の力により係合部５と係止爪８の係合が解除され、図１（ｃ）に示すようにケース１が回転支点９を中心として矢印Ｃ方向に回動して取り外される。このように、ユーザはケース１の手前側端部を操作することによりケース１の取り外しを行うことができる。
【００２４】
なお、上述した実施の形態１では、直線部２ｃおよび略Ｌ字部２ｄを有する第１の切り欠き部２ａと、略コ字部２ｅおよび略Ｔ字部２ｆを有する第２の切り欠き部２ｂを設ける構成示したが、切り欠き部２の形状はこれに限定されるものではない。ばね部３にボタン４、係合部５および支持部６を形成することが可能であればよく、少なくとも、ボタン４側に延びる２本の直線状の切り欠き部と、係合部５側に延びる２本の直線状の切り欠き部を有し、ボタン４側に延びる２本の切り欠き部が互いに連結するような切り欠き部を設ければよい。このような構成とすることで、ボタン４を矢印Ａ方向に押圧することができ、係合部５を矢印Ｂ方向に移動させることができ、ボタン４側および係合部５側に延びる切り欠き部の間にボタン４の操作力を支持する支持部６を形成することができる。
【００２５】
以上のように、この実施の形態１によれば、ケース１の上面に切り欠き部２を形成して弾性変形可能なばね部３を設け、当該ばね部３のケース１端部側に力点となるボタン４を配置し、ベース７側に作用点となる係合部５を配置し、ばね部３の長手方向に略直交する方向に支点となる支持部６を延設するように構成したので、ケース端部側即ちケースの手前側に設けたボタンを操作することにより、ケースの取り外しを行うことができる。これにより、ユーザはケースの奥部に手を伸ばして操作する必要がなくなり、容易にケースの着脱を行うことができる。
【００２６】
また、この実施の形態１によれば、ボタン４をケース１の端部、すなわちケース１手前側に配置するように構成したので、制御機器１０上部のスペースや、制御機器１０上部に配設されたケーブルダクトなどの部材に制約を受けることなくケースの着脱を行うことができる。
【００２７】
さらに、この実施の形態１によれば、支持部６をばね部３の両側に均等配置するように構成したので、ばね部にねじれが生じるのを抑制することができる。
【００２８】
さらに、この実施の形態１によれば、係合部５の両側を係止爪８で狭持して係止するように構成したので、ばね部を一定の肉厚で構成することができる。
【００２９】
実施の形態２．
図３は、この発明の実施の形態２に係る機器ユニット着脱機構を示す図であり、図３（ａ）はその上面図、図３（ｂ）はその斜視図である。この実施の形態２では、図１に示した切り欠き部の形状を変えて構成している。以下では、実施の形態１に係る機器ユニット着脱機構の構成要素と同一または相当する部分には、実施の形態１で使用した符号と同一の符号を付して説明を省略または簡略化する。
【００３０】
実施の形態２に係る機器ユニット着脱機構を備えた制御機器１０は、ケース１上面に長手方向に延びる切り欠き部２´を有している。この切り欠き部２´は、ベース７側から延びる第１の切り欠き部２ａ´と、ケース１端部側から延びる第２の切り欠き部２ｂ´で構成され、各切り欠き部２ａ´、２ｂ´は連続したスリット状の切り欠きである。
【００３１】
第１の切り欠き部２ａ´は、同一形状の切り欠きを、ケース１上面の長手方向中心線を中心として対称となる位置に２つ配置している。また、この第１の切り欠き部２ａ´は略Ｌ字形状で形成されている。第２の切り欠き部２ｂ´は、略コ字部２ｅ´とこの略コ字部２ｅ´の両端部から略直交する方向に延設された２つの直線部２ｆ´で構成されている。さらに、図に示すように第１の切り欠き部２ａ´の端部と第２の切り欠き部２ｂ´の直線部２ｆ´は所定の間隔をあけて平行となるように配置されている。
【００３２】
切り欠き部２´の内側部分に形成されたばね部３´は、第２の切り欠き部２ｂ´側端部の上方に凸設されたボタン４、第１の切り欠き部２ａ´側端部に略Ｔ字形状の係合部５を有している。また、第１の切り欠き部２ａ´の端部と第２の切り欠き部２ｂ´の直線部２ｆ´の間に設けられた所定間隔、即ちばね部３´の長手方向に直交する方向に延設された部分に支持部６´が形成されている。この支持部６´は、ケース１の上面板およびばね部３´によって支持されている。このボタン４、支持部６´および係合部５は、それぞればね部３´の力点３ａ、支点３ｂ´および作用点３ｃとして機能する。
【００３３】
なお、実施の形態１と同様に支持部６´は、ボタン４と係合部５の中間点よりもボタン４側に形成する。また、この支持部６´は、ボタン４の操作時の力を軽減するために、ばね部３´の長手方向に直交する方向に経路を長く設けた方が有効となる。さらに、ばね部３´のねじれを防止するために、支持部６´はばね部３´の両側に均等に形成するのが好ましい。
【００３４】
次に、実施の形態２に係る機器ユニット着脱機構の動作について説明する。まず、ケース１をベース７から取り外す場合、実施の形態１と同様にボタン４を矢印Ａ方向に押圧することにより、ボタン４が力点３ａ、支持部６´が支点３ｂ´、係合部５が作用点３ｃとして機能し、作用点３ｃである係合部５に矢印Ｂ方向の力が加わる。この矢印Ｂ方向の力により係合部５と係止爪８の係合が解除され、ケース１が回転支点９を中心として矢印Ｃ方向に回動して取り外される。このように、ユーザはケース１の手前側端部を操作することによりケース１の取り外しを行うことができる。
【００３５】
以上のように、この実施の形態２によれば、ケース１の上面に切り欠き部２を形成して弾性変形可能なばね部３´を設け、当該ばね部３´のケース１端部側に力点となるボタン４を配置し、ベース７側に作用点となる係合部５を配置し、ばね部３の長手方向に略直交する方向に支点となる支持部６´を延設するように構成したので、ケース端部側即ちケースの手前側に設けたボタンを操作することにより、ケースの取り外しを行うことができる。これにより、ユーザはケースの奥部に手を伸ばして操作する必要がなくなり、容易にケースの着脱を行うことができる。
【００３６】
また、この実施の形態２によれば、ボタン４をケース１の端部、すなわちケース１手前側に配置するように構成したので、制御機器１０上部のスペースや、制御機器１０上部に配設されたケーブルダクトなどの部材に制約を受けることなくケースの着脱を行うことができる。
【００３７】
さらに、この実施の形態２によれば、係合部５の両側を係止爪８で狭持して係止するように構成したので、ばね部を一定の肉厚で構成することができ、成形が容易となる。また、支持部６´を切り欠き部２´の間に形成し、当該支持部６´部分が上面視において板状となるように構成したので、簡易な構成で容易にケースの着脱を行うことができる。
【００３８】
さらに、この実施の形態２によれば、支持部６´をばね部３´の両側に均等配置するように構成したので、ばね部にねじれが生じるのを抑制することができる。
【００３９】
さらに、この実施の形態２によれば、第１および第２の切り欠き部２ａ´，２ｂ´をより簡易な形状で構成したので、より小さな力で操作することができる。
【００４０】
なお、上述した実施の形態１および実施の形態２では、係止爪８がケース１側に突出する形状を示したが、図４に示すように係止穴８´をベース７内に形成し、ケース１にベース７側に突出する係合部５´（作用点３ｃ´）を設けるように構成してもよい。
【００４１】
また、支持部の形状は実施の形態１および実施の形態２において示した形状に限定されるものではなく、適宜変更可能である。図５に示す支持部６´´（支点３ｂ´´）のように、略Ｌ字部２ｄ´および２ｆ´´がケース１の短手方向に長いほど、より小さな力で操作することができる。
【００４２】
また、上述した実施の形態１および実施の形態２では、ばね部の長手方向に直交する方向に延設された部分に支持部を形成する構成を示したが、支持部を形成する位置は当該直行する方向に限定されるものではなく、適宜変更可能である。また、支持部の形状も適宜変更可能である。
【図面の簡単な説明】
【００４３】
【図１】この発明の実施の形態１に係る機器ユニット着脱機構を示す図である。
【図２】この発明の実施の形態１に係る機器ユニット着脱機構を示す斜視図である。
【図３】この発明の実施の形態２に係る機器ユニット着脱機構を示す図である。
【図４】この発明の実施の形態１および２に係る機器ユニット着脱機構の他の実施例を示す図である。
【図５】この発明の実施の形態１および２に係る機器ユニット着脱機構の他の実施例を示す図である。
【図６】従来の機器ユニット着脱機構を示す図である。
【符号の説明】
【００４４】
１，９１  ケース
２，２´  切り欠き部
２ａ，２ａ´  第１の切り欠き部
２ｂ，２ｂ´  第２の切り欠き部
２ｃ，２ｆ´  直線部
２ｄ，２ｄ´  略Ｌ字部
２ｅ，２ｅ´  略コ字部
２ｆ，２ｆ´´  略Ｔ字部
３´，９３  ばね部
３ａ  力点
３ｂ，３ｂ´，３ｂ´´  支点
３ｃ，３ｃ´  作用点
４，９４  ボタン
５，５´  係合部  
６，６´，６´´  支持部
７，９６  ベース
８  係止爪  
８´  係止穴
９，９８  回転支点
１０、９０  制御機器
２０  ＤＩＮレール
９２  切り欠き
９５  スナップフィット爪
９７  係合穴
【図１】
2010129891.tif 000003
【図２】
2010129891.tif 000004
【図３】
2010129891.tif 000005
【図４】
2010129891.tif 000006
【図５】
2010129891.tif 000007
【図６】
2010129891.tif 000008